(57)【要約】【課題】主としてビルディング等に設置されるスプリンクラ消火設備を提供する。【解決手段】流水検知装置の二次側に設けた二次側配管に複数の立ち下がり管を介して各々スプリンクラヘッドが接続されたスプリンクラ消火設備において、前記複数の立ち下がり管の下端に各々前記スプリンクラヘッドを接続する接続管を設け、該接続管には各排水口を設け、該各排水口に細管を連結接続し、該細管の端部に集合管を介して常時は閉じた排水弁を設けたものであり、また、前記二次側配管に常時は閉じた開閉弁を介して真空ポンプを接続し、前記開閉弁を開放して、前記真空ポンプを起動し、前記二次側配管及び前記複数の立ち下がり管内を高真空状態にして、前記複数の立ち下がり管内に残留している水を蒸発除去するものである。【選択図】図１
2008212323.tif 000002
【特許請求の範囲】
【請求項１】
流水検知装置の二次側に設けた二次側配管に複数の立ち下がり管を介して各々スプリンクラヘッドが接続されたスプリンクラ消火設備において、
前記複数の立ち下がり管の下端に各々前記スプリンクラヘッドを接続する接続管を設け、
該接続管に各排水口を設け、該各排水口に細管を連結接続し、該細管の端部に常時は閉じた排水弁を設けたことを特徴とするスプリンクラ消火設備。
【請求項２】
前記接続管は、ほぼ断面Ｔ字形からなり、側部に形成した前記排水口は、前記立ち下がり管の内径より小さく、前記各排水口に連結接続された細管は、前記排水弁に向かって下方に傾斜していることを特徴とする請求項１に記載のスプリンクラ消火設備。
【請求項３】
流水検知装置の二次側に設けた二次側配管に複数の立ち下がり管を介して各々スプリンクラヘッドが接続されたスプリンクラ消火設備において、
前記二次側配管に常時は閉じた開閉弁を介して真空ポンプを接続し、
前記開閉弁を開放して、前記真空ポンプを起動し、前記二次側配管及び前記複数の立ち下がり管内を高真空状態にして、前記複数の立ち下がり管内に残留している水を蒸発除去することを特徴とするスプリンクラ消火設備。
【請求項４】
前記二次側配管の末端に末端試験弁を備え、該末端試験弁と前記二次側配管とを接続する、透明の管で構成された立ち下がり管を設けたことを特徴とする請求項３に記載のスプリンクラ消火設備。
【発明の詳細な説明】
【技術分野】
【０００１】
本発明は、主としてビルディング等に設置されるスプリンクラ消火設備に関するものである。  
【背景技術】
【０００２】
従来から、主としてビルディング等に設置されるスプリンクラ消火設備に関しては色々な形式のものが実用化されている。（例えば、特許文献１参照）
一般的にスプリンクラ消火設備は、消火ポンプ設備から消火配管を流水検知装置を介して警戒区域に配管して、その配管に閉鎖型のスプリンクラヘッドを接続して構成されている。
流水検知装置の二次側の二次側配管に消火水を充水させない乾式設備や予作動式設備があり、特に、凍結を嫌う寒冷地においてこれらが設置されている。
これら乾式設備や予作動式設備にあっては、通常監視時、流水検知装置の二次側の消火配管に加圧空気をコンプレッサにより供給して充満させている。
【特許文献１】特開２００３−１１１８６２号公報
【発明の開示】
【発明が解決しようとする課題】
【０００３】
このような乾式設備や予作動式設備の流水検知装置の二次側配管は、通常監視時、基本的に乾式配管である。しかし、水圧試験や消防検査時に流水検知装置の二次側の配管内に消火水が充水されると、配管の形状等の問題から、スプリンクラヘッドが接続される立ち下がり配管部分においては、完全に排水することが困難であり、配管内に水が残留してしまう。
この配管内の残留水により高湿度となっている状態で、コンプレッサによる新鮮空気の充填による酸素の補給を受けると、配管内は非常に腐食し易い状態となり、腐食による貫通孔が出来る場合もある。
本発明は、このような問題点に鑑みてなされたもので、立ち下がり管の残留水を排水・除去できるようにして、配管内の残留水に起因した腐食を確実に防止することを目的とする。
【課題を解決するための手段】
【０００４】
本発明のスプリンクラ消火設備は、
１）流水検知装置の二次側に設けた二次側配管に複数の立ち下がり管を介して各々スプリンクラヘッドが接続されたスプリンクラ消火設備において、前記複数の立ち下がり管の下端に各々前記スプリンクラヘッドを接続する接続管を設け、該接続管に各排水口を設け、該各排水口に細管を連結接続し、該細管の端部に常時は閉じた排水弁を設けたものである。
２）上述の１）において、前記接続管を、ほぼ断面をＴ字形とし、その側部に形成した前記排水口を、前記立ち下がり管の内径より小さくし、また、前記各排水口に連結接続された細管を、前記排水弁に向かって下方に傾斜させたものである。
３）また、流水検知装置の二次側に設けた二次側配管に複数の立ち下がり管を介して各々スプリンクラヘッドが接続されたスプリンクラ消火設備において、前記二次側配管に常時は閉じた開閉弁を介して真空ポンプを接続し、前記開閉弁を開放して、前記真空ポンプを起動し、前記二次側配管及び前記複数の立ち下がり管内を高真空状態にして、前記複数の立ち下がり管内に残留している水を蒸発除去するものであり、
４）上述の３）において、前記二次側配管の末端に末端試験弁を備え、該末端試験弁と前記二次側配管とを接続する、透明の管で構成された立ち下がり管を設けたものである。
【０００５】
すなわち本発明は、スプリンクラ消火設備における、トラブルの元にもなり得るスプリンクラヘッドの立ち下がり管内に残留する水を、適宜効率良く排出または蒸発除去するシステムを備えたスプリンクラ消火設備を特徴とするものである。
【発明の効果】
【０００６】
本発明はスプリンクラヘッドの立ち下がり管内に残留する水を、適宜効率良く排出または蒸発除去し得るため、その結果、配管内の残留水に起因した腐食を確実に防止することができる。特に寒冷地などにおける常時確実な消火効果を期待し得、且つ取扱いが容易なスプリンクラ消火設備を提供できる。
【発明を実施するための最良の形態】
【０００７】
［実施の形態１］  
図１は、本実施の形態１に係るスプリンクラ消火設備の配管説明図である。
図２は、図１における矢視Ｂよりみたスプリンクラ消火設備の配管説明図である。
図３は、図１におけるＡ部の詳細を示す拡大断面説明図である。
図において、１はスプリンクラ消火設備で、図示しない加圧送水装置及び流水検知装置を備えている。１１は二次側配管で、図示しない流水検知装置の二次側に設けられる。また流水検知装置の一次側は、一次側配管を介して加圧送水装置に接続されている。１２は立ち下がり管で、その上端側が二次側配管に接続され、その下端側には、スプリンクラヘッド１６を接続する接続管１５が設けられている。
この接続管１５は、ほぼ断面Ｔ字形からなり、側部には排水口１３２が形成される。この排水口１３２は、立ち下がり管１２の内径より小さい。接続管１５の各排水口には、細管１３が連結接続され、この細管１３は、排水弁１７に向かって下方に傾斜するように配設されている。より具体的に説明すると、細管１３は、通常は５ｍｍ程度の細管であって、天井裏のスプリンクラヘッド１６近傍に排水弁１７への水流を円滑にするための適当なる勾配をもって敷設される。
排水弁１７は、このように、細管１３の端部に設けられ、常時は閉じている。１４は集合管で、排水弁１７の上部（一次側）に設けられ、細管１３が接続される取付口１４２を複数、有している。なお、図３において、Ｄは排水を示す。
【０００８】
消防ポンプ設備からの主配管より各階層の部屋（警戒区域）に分岐された二次側配管１１には、通常は天井面から部屋内に突出配列された閉鎖型のスプリンクラヘッド１６へ給水するための立ち下がり管１２が連接されている。なお、立ち下がり管１２は、スプリンクラヘッド１６の天井における設置位置への自由度を有するように、フレキ管のような比較的フレシキブルな巻き出し管の使用が好ましい。
【０００９】
該スプリンクラヘッド１６は炎による熱を感知した場合、自動的に瞬時に且つ強力に散水する。したがってスプリンクラ消火設備１には、火災発生に瞬時に作動し確実な散水消火が補償されていることが必須の条件となる。
このため、スプリンクラ消火設備１の円滑な散水が補償されるように消防検査・点検が行なわれ、この際、二次側配管１１には、水が流される。
この検査後において、消火水を二次側配管１１内に残留させないために、通常二次側配管１１の末端に接続された、図示しない末端試験弁を開放して二次側配管内の水を排水する。
本実施の形態１においては、その後、細管１３の端部に接合された排水弁１７を開放することにより、各立ち下がり管１２部分に残った水を排水する。この場合、排水弁１７の開放により、集合管１４に取り付けられた細管１３に接続された全ての立ち下がり管１２部分に残った水を排水することができる。なお、細管１３、排水弁１７による排水手段により、前記の末端試験弁による二次側配管内の排水を兼用することもできる。
即ち、末端試験弁を開放せずに、二次側配管１１内の水を排水弁１７を開放させることで抜くようにしてもよい。
【００１０】
前記排水口１３２の内径は、立ち下がり管１２の内径に比べ、かなり小さい。これは、排水口１３２が、立ち下がり管１２に溜まった、わずかな水を排水できればよく、立ち下がり管１２のように、消火のための一定量の放水量を必要としないからである。また、管の径を約５ｍｍ程度と細くできることから、細管１３は、鋼管でなく、可撓性にすぐれ施工性の良いチューブや銅管などを使用することができる。
【００１１】
なお、排水口１３２の位置は、スプリンクラヘッド１６上部の取付用のネジ部の上にあるので、実際上は、スプリンクラヘッド１６のそのネジ部内に水が残る。しかし、このネジ部は、雄ねじであり、接続管１５の下部に設けた雌ねじ内に設けられる。このため、スプリンケラヘッド１６の雄ねじが腐食したとしても、その外側に接続管１５があることから、水漏れは発生しない。
また、排水弁には、強制的に残水を吸引するための真空ポンプなどの手段を接続してもよく、このようにすれば、細管１３は傾斜させなくてもよい。また、実施形態では、排水弁に集合管を接続したが、集合管を省略して、接続管と排水弁とを直接、細管で接続するようにしてもよい。
【００１２】
［実施の形態２］
図４は、本実施の形態２に係るスプリンクラ消火設備の配管説明図である。
図において、１０は一次側配管（主配管）、Ｃは加圧用エアコンプレッサ、Ｖ１は流水検知装置（弁）、Ｖ２はエアコンプレッサＣ用の電動弁、Ｖ３は末端試験弁で、二次側配管１１の末端に設けられる。 末端試験弁Ｖ３と二次側配管１１とを接続する、立ち下がり管１２ａは、例えば透明の管で構成される。Ｖ４は開閉弁、Ｔは水槽、Ｐ１は一次側配管１０への給水用ポンプ、Ｐ２は真空ポンプで、二次側配管１１に常時は閉じた開閉弁Ｖ４を介して接続されている。この開閉弁Ｖ４の取付位置は、二次側配管１１の末端である必要はなく、二次側配管１１のどの箇所に設けてもよい。また図に示すように、流水検知装置Ｖ１が複数あり、警戒区域が複数ある場合には、流水検知装置Ｖ１の二次側にある二次側配管１１毎に開閉弁Ｖ１を設けて１台の真空ポンプＰ２に接続させてもよいが、個別に真空ポンプを設けてもよい。
なお、その他記載の部品番号は、前述の図１〜３の符号に準じ、その説明を省略する。
【００１３】
本実施の形態２のスプリンクラ消火設備は、立ち下がり管１２内に残留する水を排除する方式のみが実施の形態１と異なる。
例えば水圧検査などを行った後、二次側配管１１の末端に接続された末端試験弁Ｖ３を開放することにより二次側配管１１内の水を排水する。その後、さらに、立ち下がり管１２内に残留する水を排除するべき二次側配管１１を外部から区切る配管系の全弁、すなわち流水検知装置（弁）Ｖ１、エアコンプレッサＣ用の電動弁Ｖ２、末端試験弁Ｖ３を閉じる。然る後領域内の開閉弁Ｖ４を開き、真空ポンプＰ２を起動（運転）する。
【００１４】
これにより二次側配管１１及び立ち下がり管１２内は高真空状態になる。
水の沸点は気圧によって変化し、減圧により沸点は低くなる。すなわち、７６０Ｔｏｒｒの気圧環境では、水の沸点は１００℃であるが、真空ポンプにより気圧を４．６Ｔｏｒｒ(６１３Ｐａ)まで低下させると、沸点は０℃になる。
このような配管内を高真空状態にすることで、立ち下がり管１２内に残った水が蒸発し易くなり、配管内の残水を除去することが可能となる。なお、寒冷地においては、立ち下がり管１２には、ヒータ線が設けられ、配管を加熱することができるので、このような場合には、真空の度合いを弱めることができ、数十Ｔｏｒｒの真空で水を蒸発させることが可能となる。
また、末端試験弁Ｖ３が接続される立ち下がり管１２を透明の管で構成すれば、この立ち下がり管１２に残った水の状況を目視により確認できる。真空ポンプを動かしているときに、この立ち下がり管１２内を確認することにより、水がなくなった時点で真空ポンプＰ２を停止し、開閉弁Ｖ４を閉じるようにすればよい。
真空ポンプＰ２の要求性能は、当然水を排除するべき二次側配管内の配管容量、処理許容時間等により設定される。
【産業上の利用可能性】
【００１５】
本発明の実施の形態１及び２の特徴とするところは、スプリンクラ消火設備のみならず各種の配管系において応用することができる。
【図面の簡単な説明】
【００１６】
【図１】本実施の形態１に係るスプリンクラ消火設備の配管説明図。
【図２】図１における矢視Ｂよりみたスプリンクラ消火設備の配管説明図。
【図３】図１におけるＡ部の詳細を示す拡大断面説明図。
【図４】本実施の形態２に係るスプリンクラ消火設備の配管説明図。
【符号の説明】
【００１７】
１  スプリンクラ消火設備、１０  １次配管（主配管）、１１  ２次側配管、１２  立ち下がり管、１３  細管、１３１  接続管、１３２  排水口、１４  集合管、１５  接続管、１６  スプリンクラヘッド、１７  排水弁、Ｄ  排水、 Ｃ  加圧用エアコンプレッサ、Ｖ１  流水検知装置（弁）、Ｖ２  エアコンプレッサＣ用の電磁弁、Ｖ３  末端試験弁、Ｖ４  開閉弁、Ｐ１  １次配管への給水用ポンプ、Ｐ２  真空ポンプ、Ｔ  水槽。
【図１】
2008212323.tif 000003
【図２】
2008212323.tif 000004
【図３】
2008212323.tif 000005
【図４】
2008212323.tif 000006